(57)【要約】【課題】ＬＥＤを光源とする街路灯であって、積雪によるつららの発生を抑制するＬＥＤ街路灯を提供する。【解決手段】  ＬＥＤを光源とするＬＥＤ街路灯１であって、光源の上部を覆うカバー５，６が、少なくとも１層以上の空隙７を有する多層構造となっており、空隙７が空気層８であり、空隙７がＬＥＤ街路灯１の外部と連通しており、空隙７内の空気が外部と連通可能であるので、空気層８内の空気は外部との通気により温度上昇が抑制され、最外側の上部カバー６の温度は光源からの熱によらず、外気温とほぼ同一に保たれ、街路灯のカバー上に積もった雪は溶けることがなく、雪が溶けることによるつららの発生をより効果的に防止することができる。【選択図】    図１
2012084259.tif 000002
【特許請求の範囲】
【請求項１】
ＬＥＤを光源とする街路灯であって、
光源を覆うカバーが、地面に対向し光の出射方向を覆う透光性の下部カバーと、光源の上部を覆う上部カバーとからなり、
該上部カバーが少なくとも１層以上の空隙を有する多層構造となっており、該空隙が空気層であることを特徴とするＬＥＤ街路灯。
【請求項２】
前記空隙がＬＥＤ街路灯の外部と連通しており、空隙内の空気が外部と通気可能である請求項１に記載のＬＥＤ街路灯。
【発明の詳細な説明】
【技術分野】
【０００１】
本発明は、つららの発生を防止するＬＥＤ街路灯に関する。
【背景技術】
【０００２】
近年、省エネルギー、二酸化炭素削減、メンテナンス費の削減などを目的として、蛍光灯や白熱灯を光源とした街路灯に変わってＬＥＤを光源とした街路灯が採用されている。
【先行技術文献】
【特許文献】
【０００３】
【特許文献１】特開２００７−２７０４８号公報
【発明の概要】
【発明が解決しようとする課題】
【０００４】
しかし、街路灯は道路など屋外の照明を確保することを目的としており、電柱や専用の支柱に取り付けられるが、積雪が想定される寒冷地では、街路灯のカバーに積もった雪が街路灯の熱で一旦溶け、水滴となって街路灯から滴り落ちる過程で、外気により冷やされつららとなることがあった。街路灯のように人が行きかう場所の高所に設置される工作物につららができてしまうと、つららが落下したときに、人が怪我をしてしまうといった問題があった。
【０００５】
従来の蛍光灯や白熱灯を利用した街路灯では、日中の積雪は日射により融雪され水滴となって地面に落ちきってしまい、一方、夜間の積雪は蛍光灯や白熱灯が発する熱量が多かったので、街路灯のカバーに積もった雪は街路灯の熱で溶かされて地上に落ちきってしまうので、街路灯につららが発生することは稀であった。
【０００６】
しかし、光源をＬＥＤとする街路灯では、ＬＥＤからの発熱量が多くないので、街路灯のカバーに積もった雪が時間をかけてゆっくりと溶かされ、水滴が街路灯から滴り落ちる状況が、つららの発生を誘引していた。
【０００７】
本発明は、以上のような問題点に鑑み、ＬＥＤを光源とする街路灯であって、積雪によるつららの発生を抑制するＬＥＤ街路灯を提供することを課題とする。
【課題を解決するための手段】
【０００８】
上記の課題は、ＬＥＤを光源とする街路灯であって、光源を覆うカバーが、地面に対向し光の出射方向を覆う透光性の下部カバーと、光源の上部を覆う上部カバーとからなり、該上部カバーが少なくとも１層以上の空隙を有する多層構造となっており、該空隙が空気層であることを特徴とするＬＥＤ街路灯により解決される。
【０００９】
このＬＥＤ街路灯では、光源の上部を覆うカバーが、少なくとも１層以上の空隙を有する多層構造となっており、該空隙が空気層であるため、光源で発生する熱が、空気層で遮られて、最外側の上部を覆うカバーまで達しないため、最外側の上部カバーの上に積もった雪がＬＥＤの光源の熱でゆっくりと溶けることがなく、水滴が街路灯から滴り落ちてつららが発生することを防止することができる。
【００１０】
さらに、光源から発生する熱の遮断を、カバーを少なくとも１層以上の空隙を有する多層構造とするだけで実現しているので、容易にしかも安価に実現できる。さらに、既設のＬＥＤ街路灯の上部のカバーに空隙を設けて別体のカバー材を取り付けることで多層構造とすることができ、既設のＬＥＤ街路灯を、空隙を有する多層構造のカバーを有するＬＥＤ街路灯に改装することができる。
【００１１】
上記のＬＥＤ街路灯において、空隙がＬＥＤ街路灯の外部と連通しており、空気層内の空気が外部と通気可能であるとよい。
【００１２】
空隙がＬＥＤ街路灯の外部と連通しており、空気層内の空気が外部と通気可能であるので、空気層内の空気は外部との通気により温度上昇が抑制され、最外側の上部カバーの温度は光源からの熱によらず、外気温とほぼ同一に保たれ、街路灯のカバー上に積もった雪は溶けることがなく、雪が溶けることによるつららの発生をより効果的に防止することができる。
【発明の効果】
【００１３】
本発明は以上のとおりであるから、ＬＥＤを光源とする街路灯であって、積雪によるつららの発生を抑制するＬＥＤ街路灯を提供することができる。
【図面の簡単な説明】
【００１４】
【図１】図（イ）は本発明の第１の実施形態であるＬＥＤ街路灯を示す断面正面図、図（ロ）は同側面図、図（ハ）は同斜視図である。
【図２】図（イ）はＬＥＤ街路灯をポールに取り付けた状況を示す斜視図、図（ロ）はＬＥＤ街路灯とポールを分離した状態を示す分解斜視図である。
【図３】ＬＥＤ街路灯の上に雪が積もった状況を示す断面正面図である。
【図４】本発明の第２の実施形態であるＬＥＤ街路灯を示す斜視図である。
【発明を実施するための形態】
【００１５】
次に、本発明の実施形態を図面に基づいて説明する。
【００１６】
図１に示す本発明の実施形態であるＬＥＤ街路灯１において、２は照明用ＬＥＤ、３は照明用ＬＥＤを固定するベース板、４はＬＥＤ照明２の光を透過する透過性部材からなる下部カバー、５はＬＥＤ照明を覆う上部カバー、６は上部カバー５のさらに上部を覆う最外側上部カバーである。
【００１７】
照明用ＬＥＤ２は、長尺の基板上に複数の照明用ＬＥＤチップが列設されパッケージされたもので、外部から供給される電源により、照明用ＬＥＤチップが発光し照明として機能するものである。下部カバー側に凸の円弧状をしたベース板３の下部カバー側に、ベース板３の長尺方向に沿って平行に照明用ＬＥＤ２‥が、照明の照射方向を異ならせて複数個取り付けられている。
【００１８】
ベース板３の照明用ＬＥＤ２が取り付けられている側には、ＬＥＤ照明２の光を透過する透過性部材からなる下部カバー４が取り付けられ、反対側には上部カバー５が取り付けられている。上部カバー５のさらに上部には上部カバー５を覆うように空隙７を設けて最外側上部カバー６が取り付けられており、上部カバー５と最外側上部カバー６との空隙７が空気層８を形成している。
【００１９】
下部カバー４、上部カバー５、最外側上部カバー６は、それぞれ長尺方向に沿って平行に複数箇所屈曲されて成型された断面略円弧状で、長尺方向の両端部が有底のカバー材であり、下部カバー４と上部カバー５が係合することで内部の照明用ＬＥＤ２が密閉状態に覆われ、上部カバー５に最外側上部カバー６が固定されることで、上部カバー５と最外側上部カバー６との間に空隙７を有する上部カバーの２層構造となり、空隙７が空気層８を形成している。また、上部カバー５の側面部外方側と最外側上部カバー６の側面部内方側とは隙間９を設けるようにして、上部カバー５に最外側上部カバー６が固定されており、隙間９を介して空気層８は外部と通気可能となっており、空気層８は外部の空気を自在に取り込み、排出することができるようになっている。
【００２０】
なお、最外側上部カバー６の上部カバー５への固定は、外部カバー５の上面部に取り付けられたスペーサー１０，１０を介して行われる。
【００２１】
図２に示すように、ＬＥＤ街路灯１は、ポール１１にバンド１２により取り付けられた取付金物１３介してポール１１に固定される。
【００２２】
屋外に設置したＬＥＤ街路灯１に雪が降ると、図３に示すように、ＬＥＤ街路灯１の最外側上部カバー６の上に雪１５が積もるが、最外側上部カバー６と上部カバー５との間に空気層８が形成され、空気層内８が外部と連通し空気層８内の空気が外部を通気可能となっているので、空気層８内の温度上昇が抑制され、照明用ＬＥＤ２から発生する熱により上部カバー５の温度は上昇するが、最外側上部カバー６の温度は上昇せず、最外側上部カバー６の上に積もった雪１５が、照明用ＬＥＤ２から発生する熱でゆっくりと溶けることがない。そのため、従来、光源をＬＥＤとする街路灯では、ＬＥＤからの発熱量が多くないので、街路灯のカバーに積もった雪を完全に溶かすことができず、水滴が街路灯から滴り落ちる状況が、つららの発生を誘引していたが、このＬＥＤ街路灯１では、つららの発生を防止することができ、つららの落下による、事故を防止することができる。
【００２３】
また、光源から発生する熱の遮断を、カバーを少なくとも１層以上の空隙を有する多層構造とするだけで実現しているので、容易にしかも安価に実現できる。さらに、既設のＬＥＤ街路灯の上部のカバーに空隙を設けて別体のカバー材を取り付けることで、既設のＬＥＤ街路灯を、空隙を有する多層構造のカバーを有するＬＥＤ街路灯に改装することができる。
【００２４】
なお、最外側上部カバー６上に積もった雪は、溶けることなく、積もったままであるが、積もった雪の自重および最外側上部カバー６の端部方向へ向かって下方に傾斜する形状によって、状況に応じて地面に落下する。
【００２５】
図４に示す本発明の第２の実施形態であるＬＥＤ街路灯２０において、最外側上部カバー１６は、長尺方向と平行な屈曲線で屈曲されて成型された断面略円弧状で、長尺方向の両端部が開放しており、下部カバー４と上部カバー５が係合することで内部の照明用ＬＥＤ２が密閉状態に覆われ、上部カバー５に最外側上部カバー１６が固定されることで、上部カバー５と最外側上部カバー１６との間に空隙７を有する上部カバーの２層構造となり、空隙７が空気層８を形成している。また、上部カバー５の側面部外方側と最外側上部カバー１６の側面部内方側とは隙間９を設けるようにして、上部カバー５に最外側上部カバー６が固定されており、隙間９及び長尺方向両端部１７，１７を介して空気層８は外部と通気可能となっており、空気層８は外部の空気を自在に取り込み、排出することができるようになっている。
【００２６】
空気層８がＬＥＤ街路灯２０の外部と連通しており、空気層８内の空気が外部と通気可能であるので、空気層８内の温度上昇が抑制され、照明用ＬＥＤ２から発生する熱により上部カバー５の温度は上昇するが、最外側上部カバー１６の温度は上昇せず、最外側上部カバー１６の上に積もった雪１５が、照明用ＬＥＤ２から発生する熱でゆっくりと溶けることがない。そのため、このＬＥＤ街路灯２０では、つららの発生を防止することができ、つららの落下による、事故を防止することができる。
【００２７】
以上に、本発明の実施形態を示したが、本発明はこれに限られるものではなく、発明思想を逸脱しない範囲で各種の変更が可能である。例えば、上記の実施形態では、ＬＥＤ街路灯の上側のカバーを上部カバーと最外側上部カバーの２層構造とし、上部カバーと最外側上部カバー間の空隙により１つの空気層を設ける場合について示したが、上側のカバーの構造は２層以上であれば３層であってもよいしそれ以上の複数であってもよく、それにより複数の空気層が形成されてもよいのはいうまでもない。
【００２８】
また、上記実施形態では、ＬＥＤ街路灯として上側のカバーが最初から２層になっている場合について示したが、既設のＬＥＤ街路灯の上部のカバーに空隙を設けて別体のカバー材を取り付けることで、既設のＬＥＤ街路灯を、空隙を有する多層構造のカバーを有するＬＥＤ街路灯に改装してもよいのはいうまでもない。
【００２９】
また、第１実施形態では実施形態では、上部カバーと最外側上部カバー間に隙間を設け、上部カバーと最外側上部カバー間の空隙が外部と連通し、空気層内の空気が外部と通気可能である場合について示したが、上部カバーと最外側上部カバーとの間に隙間を設けず、上部カバーと最外側上部カバー間の空隙が外部と連通せず、空気層内の空気が外部と通気不可能であってもよいのはいうまでもない。この場合、外部からの雪や雨水の浸入を防ぐことができる。
【００３０】
さらに、本実施形態では最外側上部カバーの上部カバーへの固定を、上部カバーの上面部に取り付けられたスペーサを介して固定する場合について示したが、最外側上部カバーの上部カバーへの固定方法に制限はなく、上部カバーの上面部に取り付けられたスペーサーとポールに固定する際に用いる取付金物を介して固定してもよく、また別の方法を用いて固定してもよい。
【００３１】
また、ＬＥＤ街路灯の外形に限定はなく、本発明の構成はあらゆる外形のＬＥＤ街路灯に適用することができるのはいうまでもない。
【符号の説明】
【００３２】
１，２０・・・ＬＥＤ街路灯
２・・・照明用ＬＥＤ
３・・・ベース板
４・・・下部カバー
５・・・上部カバー
６，１６・・・最外側上部カバー
７・・・空隙
８・・・空気層
１５・・・雪
【図１】
2012084259.tif 000003
【図２】
2012084259.tif 000004
【図３】
2012084259.tif 000005
【図４】
2012084259.tif 000006